(57)【要約】【課題】過熱調理器からの赤外線信号を精度良く受信し自動運転するレンジフードを提供することを目的とする。【解決手段】加熱調理器から送信される赤外線信号を受信する受信手段５と、赤外線信号により調理時の汚れた空気を排気する本体４とを備え、受信手段５を可動できる構成にしたことにより、加熱調理器の赤外線信号送信部がレンジフードの赤外線信号受信部の方向に向いていない場合でも、精度良く赤外線信号を受信し自動運転するレンジフードを得られる。【選択図】図１
2012026663.tif 000002
【特許請求の範囲】
【請求項１】
加熱調理器から送信される赤外線信号を受信する受信手段と、前記赤外線信号により調理時の汚れた空気を排気する本体とを備え、前記受信手段を可動できることを特徴とするレンジフード。
【請求項２】
本体に受信手段をスライド移動できるスライド手段を備えることを特徴とする請求項１記載のレンジフード。
【請求項３】
本体に受信手段を回転移動できる回転手段を備えることを特徴とする請求項１記載のレンジフード。
【請求項４】
本体より受信手段を分離できることを特徴とする請求項１記載のレンジフード。
【請求項５】
受信手段の向きを報知する方向報知手段を備えることを特徴とする請求項１記載のレンジフード。
【請求項６】
受信手段に照度センサを備えることを特徴とする請求項１記載のレンジフード。
【請求項７】
受信手段の照度を抑制する照度抑制手段を備えることを特徴とする請求項１記載のレンジフード。
【請求項８】
加熱調理器から送信される赤外線信号を受信する受信手段と、赤外線信号により調理時の汚れた空気を排気する本体とを備え、前記受信手段を複数個設置することを特徴とするレンジフード。
【請求項９】
異なる特性を持った受信手段を複数個備えることを特徴とする請求項８記載のレンジフード。
【請求項１０】
受信手段を本体の前方かつ下方に備えることを特徴とする請求項８記載のレンジフード。
【請求項１１】
受信手段を本体の両端に離して備えることを特徴とする請求項８記載のレンジフード。
【請求項１２】
いずれの受信手段で赤外線信号を受信しているか判定する受信判定手段を備え、受信していない前記受信手段の通電を遮断することを特徴とする請求項８記載のレンジフード。
【発明の詳細な説明】
【技術分野】
【０００１】
本発明は、過熱調理器からの赤外線信号を精度良く受信し自動運転するレンジフードに関する。
【背景技術】
【０００２】
今日、使用者の利便性を向上させるため、使用者が操作をしなくても自動運転する電気機器が増加している。レンジフードを例に挙げると、加熱調理器の操作時に送信される赤外線信号より、自動運転するものがある（特許文献１参照）。
【先行技術文献】
【特許文献】
【０００３】
【特許文献１】特開２０００−３１０４２３号公報
【発明の概要】
【発明が解決しようとする課題】
【０００４】
上記のような従来の方法では、加熱調理器によっては、赤外線信号送信部がレンジフードの赤外線信号受信部の方向に向いていない場合があり、赤外線信号を正しく受信できないという課題があった。またレンジフードの赤外線信号受信部の近傍に赤外線を放射する照明機器等があった場合、過熱調理器の赤外線と照明機器等から照射される赤外線を区別することができないため、レンジフードの赤外線信号受信部信号で加熱調理器の赤外線信号を正しく受信できないという課題があった。
【課題を解決するための手段】
【０００５】
上記課題を解決するために本発明のレンジフードは、加熱調理器から送信される赤外線信号を受信する受信手段と、前記赤外線信号により調理時の汚れた空気を排気する本体とを備え、前記受信手段を可動できる構成としたものである。
【０００６】
この手段により赤外線信号を精度良く受信できるレンジフードが得られる。
【０００７】
また、他の手段は、本体に受信手段をスライド移動できるスライド手段を備える構成としたものである。
【０００８】
この手段により、赤外線信号を精度良く受信できるレンジフードが得られる。
【０００９】
また、他の手段は、本体に受信手段を回転移動できる回転手段を備える構成としたものである。
【００１０】
この手段により、赤外線信号を精度良く受信できるレンジフードが得られる。
【００１１】
また、他の手段は、本体より受信手段を分離できる構成としたものである。
【００１２】
この手段により、赤外線信号を精度良く受信できるレンジフードが得られる。
【００１３】
また、他の手段は、受信手段の向きを報知する方向報知手段を備える構成としたものである。
【００１４】
この手段により、過熱調理器の赤外線信号送信部に受信手段を向け、赤外線信号を精度良く受信できるレンジフードが得られる。
【００１５】
また、他の手段は、受信手段に照度センサを備える構成としたものである。
【００１６】
この手段により、適切な照度の位置に受信手段を移動することで、赤外線信号を精度良く受信できるレンジフードが得られる。
【００１７】
また、他の手段は、受信手段の照度を抑制する照度抑制手段を備える構成としたものである。
【００１８】
この手段により、受信手段の周囲を適切な照度に抑制することで、赤外線信号を精度良く受信できるレンジフードが得られる。
【００１９】
また、他の手段は、加熱調理器から送信される赤外線信号を受信する受信手段と、赤外線信号により調理時の汚れた空気を排気する本体とを備え、前記受信手段を複数個設置する構成としたものである。
【００２０】
この手段により、赤外線信号を精度良く受信できるレンジフードが得られる。
【００２１】
また、他の手段は、異なる特性を持った受信手段を複数個備える構成としたものである。
【００２２】
この手段により、外乱があった場合でも赤外線信号を精度良く受信できるレンジフードが得られる。
【００２３】
また、他の手段は、受信手段を本体の前方かつ下方に備える構成としたものである。
【００２４】
この手段により、赤外線信号を精度良く受信できるレンジフードが得られる。
【００２５】
また、他の手段は、受信手段を本体の両端に離して備える構成としたものである。
【００２６】
この手段により、赤外線信号を精度良く受信できるレンジフードが得られる。
【００２７】
また、他の手段は、いずれの受信手段で赤外線信号を受信しているか判定する受信判定手段を備え、受信していない前記受信手段の通電を遮断する構成としたものである。
【００２８】
この手段により、消費電力を削減できるレンジフードが得られる。
【発明の効果】
【００２９】
本発明によれば、赤外線信号を精度良く受信できるレンジフードが得られる。
【００３０】
また、消費電力を削減できるレンジフードが得られる。
【図面の簡単な説明】
【００３１】
【図１】本発明の実施の形態１のレンジフードの構成を示す斜視図
【図２】同レンジフードの受信手段の構成を示す側面図
【図３】同レンジフードの受信手段の構成を示す側面図
【図４】同レンジフードの受信手段の構成を示す側面図
【図５】本発明の実施の形態２のレンジフードの受信手段の構成を示す正面図
【図６】本発明の実施の形態３のレンジフードの受信手段の構成を示す正面図
【図７】同レンジフードの受信手段の構成を示す側面図
【図８】本発明の実施の形態４のレンジフードの構成を示す斜視図
【発明を実施するための形態】
【００３２】
請求項１記載のレンジフードの発明は、加熱調理器から送信される赤外線信号を受信する受信手段と、前記赤外線信号により調理時の汚れた空気を排気する本体とを備え、前記受信手段を可動できる構成としたものであり、受信手段を可動できる作用を有する。
【００３３】
請求項２記載のレンジフードの発明は、本体に受信手段をスライド移動できるスライド手段を備える構成としたものであり、受信手段をスライド移動できる作用を有する。
【００３４】
請求項３記載のレンジフードの発明は、本体に受信手段を回転移動できる回転手段を備える構成としたものであり、受信手段を回転移動できる作用を有する。
【００３５】
請求項４記載のレンジフードの発明は、本体より受信手段を分離できる構成としたものであり、受信手段を分離できる作用を有する。
【００３６】
請求項５記載のレンジフードの発明は、受信手段の向きを報知する方向報知手段を備える構成としたものであり、受信手段の向きを報知する作用を有する。
【００３７】
請求項６記載のレンジフードの発明は、受信手段に照度センサを備える構成としたものであり、受信手段の周囲の照度を確認できる作用を有する。
【００３８】
請求項７記載のレンジフードの発明は、受信手段の照度を抑制する照度抑制手段を備える構成としたものであり、受信手段の周囲の照度を抑制できる作用を有する。
【００３９】
請求項８記載のレンジフードの発明は、加熱調理器から送信される赤外線信号を受信する受信手段と、赤外線信号により調理時の汚れた空気を排気する本体とを備え、前記受信手段を複数個設置する構成としたものであり、受信手段を複数個備える作用を有する。
【００４０】
請求項９記載のレンジフードの発明は、異なる特性を持った受信手段を複数個備える構成としたものであり、異なる特性を持った受信手段を複数個備える作用を有する。
【００４１】
請求項１０記載のレンジフードの発明は、受信手段を本体の前方かつ下方に備える構成としたものであり、受信手段を本体の前方かつ下方に備える作用を有する。
【００４２】
請求項１１記載のレンジフードの発明は、受信手段を本体の両端に離して備える構成としたものであり、受信手段を本体の両端に離して備える作用を有する。
【００４３】
請求項１２記載のレンジフードの発明は、いずれの受信手段で赤外線信号を受信しているか判定する受信判定手段を備え、受信していない前記受信手段の通電を遮断する構成としたものであり、受信していない受信手段の通電を遮断する作用を有する。
【００４４】
以下、本発明の実施形態について図を参照しながら説明する。
【００４５】
（実施の形態１）
図１に示すように、本発明のレンジフードは、調理時に発生する汚れた空気をフィルタ１を介して排気口２より排気する排気ファン３を本体４に備え、本体４の前方かつ下方には、本体４の下方に対向して設置される過熱調理器から送信される赤外線信号を受信するための可動できる受信手段５を備えている。
【００４６】
ここで、受信手段５としては、赤外線を検出して電圧信号を出力する受光ユニットを用い、受光ユニットの電圧信号を本体４に内蔵された図示しないマイクロコンピュータ６により検出して、排気ファン３を自動運転することができる。
【００４７】
受信手段５の可動方法としては、図２に示すように、水平方向に受信手段５をスライド移動できるレールのようなスライド手段７を備え、受信手段５で過熱調理器の信号を受信できない場合は、受信手段５を任意に移動させて受信可能な場所まで可動することにより、受信精度を向上させることができる。
【００４８】
受信手段５の可動の別の方法としては、図３に示すように、受信手段５を回転できる回転手段８として、本体４との受信手段５の接続部を球形状とし、受信手段５で過熱調理器の信号を受信できない場合は、受信手段５を任意に回転させて受信可能な角度にすることにより、受信精度を向上させることができる。
【００４９】
受信手段５の可動の別の方法としては、図４に示すように、受信手段５を本体４から分離できる信号線９で本体４と接続し、受信手段５で過熱調理器の信号を受信できない場合は、受信手段５を任意の場所まで引き伸ばし、受信可能な壁等にねじにて固定することで、受信精度を向上させることができる。
【００５０】
（実施の形態２）
本発明の実施の形態２について図５を参照しながら説明する。実施の形態１と同一部分は同一番号を付与し、詳細な説明は省略する。図５に示すように、受信手段５には方向報知手段１０を備えている。ここで、方向報知手段１０としては、視覚的に認識し易い半導体レーザーを用いると良く、受信手段５が向いている方向をレーザーでポイントし、対向する過熱調理器の信号送信部に対して受信手段５が向くよう受信手段５を可動することで、受信精度を向上させることができる。
【００５１】
（実施の形態３）
本発明の実施の形態３について図６を参照しながら説明する。実施の形態１と同一部分は同一番号を付与し、詳細な説明は省略する。図６に示すように、受信手段５には照度センサ１１を備えている。受信手段５は赤外線を検出して信号を出力するものであるが、近傍に赤外線を放射する照明機器等があった場合、過熱調理器の赤外線と照明機器等から照射される赤外線を区別することができないため、受信手段５で加熱調理器の赤外線信号を正しく検出できない場合がある。そのため、例えば照度センサ１１により５００ｌｘ以上を検出した場合は、近傍に照明機器等があり影響を受ける可能性があると判断して、受信手段５に備えたＬＥＤ１２を点灯させる。使用者はＬＥＤ１２が点灯しない位置まで受信手段５を可動することで、受信精度を向上させることができる。
【００５２】
また図７に示すように、受信手段５には照度抑制手段１３を設けると良く、受信手段５と照明機器等の間に照度抑制手段１３がくるように受信手段５を可動することで、受信精度を向上させることができる。照度抑制手段１３としては、赤外線を透過しないようなＡＢＳやＰＰ等の樹脂材料を用いると良い。
【００５３】
（実施の形態４）
本発明の実施の形態４について図８を参照しながら説明する。実施の形態１と同一部分は同一番号を付与し、詳細な説明は省略する。図８に示すように、本体４の前方かつ下方には、本体４の下方に対向して設置される過熱調理器から送信される赤外線信号を受信するための受信手段５を複数個備えている。
【００５４】
ここで、複数の受信手段５としては、電気特性の中心周波数が異なるものを用いると良い。例えば、中心周波数として３６．７ｋＨｚと４０．０ｋＨｚの２つを用いることで、受信手段５の近傍に照明機器等があり、照明機器より特定の周波数の赤外線が放射されて受信手段５に影響を与えた場合でも、受信手段５の中心周波数が異なることで、いずれか一方の受信手段５で過熱調理器の赤外線信号を正しく受信することができる。
【００５５】
また受信手段５の受信可能エリアを大きくするために、各受信手段５は可能な限り離して設置することが良く、例えば本体４の前方かつ下方において、両端に設置するのが良い。
【００５６】
またマイクロコンピュータ６には図示しない受信判定手段１４を備え、いずれかの受信手段５が信号を受信している際に、照明機器等の影響を受けて信号を受け付けない受信手段５がある場合は、信号を受け付けない受信手段５への通電を遮断することで、無駄な消費電力を削減することができる。
【００５７】
以上のように、本発明では過熱調理器からの赤外線信号を精度良く受信し自動運転するレンジフードが得られる。
【産業上の利用可能性】
【００５８】
本発明にかかるレンジフードは、過熱調理器からの赤外線信号を精度良く受信し自動運転するものであり、一般住宅などに用いられるレンジフードに有用である。
【符号の説明】
【００５９】
４    本体
５    受信手段
７    スライド手段
８    回転手段
１０  方向報知手段
１１  照度センサ
１３  照度抑制手段
１４  受信判定手段
【図１】
2012026663.tif 000003
【図２】
2012026663.tif 000004
【図３】
2012026663.tif 000005
【図４】
2012026663.tif 000006
【図５】
2012026663.tif 000007
【図６】
2012026663.tif 000008
【図７】
2012026663.tif 000009
【図８】
2012026663.tif 000010